(57)【要約】【課題】冷却体を容易に取り外せるようにして、扱いやすくした冷却体ホルダおよび冷却器を提供することを目的とする。【解決手段】所定形状の冷却体（アイスキューブ２）を保持する冷却体ホルダ３は、把持することが可能な本体部３０と、本体部３０に形成された、冷却体を本体部３０から突出させた状態で保持する保持穴３１と、本体部３０に形成された、保持穴３１に通じた取出穴３２と、を有する。【選択図】図２
2019051197.tif 000002
【特許請求の範囲】
【請求項１】
所定形状の冷却体を保持する冷却体ホルダであって、
把持することが可能な本体部と、
前記本体部に形成された、前記冷却体を前記本体部から突出させた状態で保持する保持穴と、
前記本体部に形成された、前記保持穴に通じた取出穴と、を有することを特徴とする冷却体ホルダ。
【請求項２】
前記保持穴に保持された前記冷却体を前記取出穴から指を入れて押し、前記保持穴から押し出すことが可能に構成されたことを特徴とする請求項１に記載の冷却体ホルダ。
【請求項３】
前記本体部の熱伝導率は、前記冷却体の表面層の熱伝導率よりも小さいことを特徴とする請求項１または請求項２に記載の冷却体ホルダ。
【請求項４】
前記冷却体の前記本体部からの突出量は、前記冷却体の前記保持穴への挿入方向における前記冷却体の寸法の半分以下であることを特徴とする請求項１から請求項３のいずれか１項に記載の冷却体ホルダ。
【請求項５】
前記本体部は、前記保持穴の底に、前記冷却体と接触して前記本体部からの前記冷却体の突出量を規定する規制面を有することを特徴とする請求項１から請求項４のいずれか１項に記載の冷却体ホルダ。
【請求項６】
前記保持穴に保持された前記冷却体は、前記取出穴の内面から突出していることを特徴とする請求項１から請求項５のいずれか１項に記載の冷却体ホルダ。
【請求項７】
前記取出穴は、前記冷却体の前記保持穴への挿入方向に交差する方向に開口していることを特徴とする請求項１から請求項６のいずれか１項に記載の冷却体ホルダ。
【請求項８】
前記保持穴の対向する側面の間隔は、前記保持穴の奥に行くに従い小さくなっていることを特徴とする請求項１から請求項７のいずれか１項に記載の冷却体ホルダ。
【請求項９】
少なくとも、前記保持穴の側面のうち前記冷却体に接触する部分がゴムからなることを特徴とする請求項１から請求項８のいずれか１項に記載の冷却体ホルダ。
【請求項１０】
所定形状の冷却体と、
前記冷却体を保持する冷却体ホルダと、を備え、
前記冷却体ホルダは、
把持することが可能な本体部と、
前記本体部に形成された、前記冷却体を前記冷却体から突出させた状態で保持する保持穴と、
前記本体部に形成された、前記保持穴に通じた取出穴と、を有することを特徴とする冷却器。
【発明の詳細な説明】
【技術分野】
【０００１】
本発明は、皮膚などを局部的に冷却するための冷却体ホルダおよび冷却器に関するものである。
【背景技術】
【０００２】
従来より、注射による痛みを緩和するなどの目的で、皮膚などを局所的に冷却することが可能な冷却器が知られている。例えば、特許文献１には、金属製ブロックからなる冷却体（蓄冷材料）にグリップがネジ止めされた冷却ピースを皮膚などに接触する冷却器が開示されている。
【先行技術文献】
【特許文献】
【０００３】
【特許文献１】特開２００６−２４７２３８号公報
【発明の概要】
【発明が解決しようとする課題】
【０００４】
しかしながら、特許文献１の冷却器の冷却ピースは、冷却体とグリップの全体を冷却して使用することを想定されているため、使用者が手に持って体の一部を冷却している際に、手も冷たくなって扱いにくいという問題がある。
【０００５】
そこで、本発明は、冷却体を容易に取り外せるようにして、扱いやすくした冷却体ホルダおよび冷却器を提供することを目的とする。
【課題を解決するための手段】
【０００６】
前記した目的を達成するため、本発明の冷却体ホルダは、所定形状の冷却体を保持する冷却体ホルダであって、把持することが可能な本体部と、本体部に形成された、冷却体を本体部から突出させた状態で保持する保持穴と、本体部に形成された、保持穴に通じた取出穴と、を有する。
【０００７】
このように構成された冷却体ホルダによれば、冷却体ホルダが保持穴に通じた取出穴を有するので、ユーザが皮膚などを冷却した後に、冷却体を取り出しやすく、取り出した冷却体を冷却体ホルダとは別に冷却することが可能である。
【０００８】
また、前記した構成において、保持穴に保持された冷却体を取出穴から指を入れて押し、保持穴から押し出すことが可能な構成とすることができる。
【０００９】
これによれば、保持穴に保持された冷却体を取出穴から指を入れて押し、保持穴から押し出すことが可能なため、別途、道具を使用することなく、指を使って容易に冷却体を取り出すことができる。
【００１０】
また、前記した構成において、本体部の熱伝導率は、冷却体の表面層の熱伝導率よりも小さい構成とすることができる。
【００１１】
これによれば、冷却体の表面層から本体部に冷たさが伝わりにくいので、本体部が冷却されにくい。
【００１２】
また、前記した構成において、冷却体の本体部からの突出量は、冷却体の保持穴への挿入方向における冷却体の寸法の半分以下とすることができる。
【００１３】
これによれば、冷却体の本体部からの突出量が、冷却体の保持穴への挿入方向における冷却体の寸法の半分以下であるため、使用時に冷却体が冷却体ホルダから外れにくく、冷却体が本体部に安定して保持される。
【００１４】
また、前記した構成において、保持穴の底に、冷却体と接触して本体部からの冷却体の突出量を規定する規制面を有する構成とすることができる。
【００１５】
これによれば、冷却体が規制面と接触することで、冷却体の突出量を一定にすることができる。
【００１６】
また、前記した構成において、保持穴に保持された冷却体の一部は、取出穴の内面から取出穴内に突出している構成とすることができる。
【００１７】
これによれば、冷却体が取出穴の内面から取出穴内に突出しているので、冷却体を取り出し易い。
【００１８】
また、前記した構成において、取出穴は、冷却体の保持穴への挿入方向に交差する方向に開口している構成とすることができる。
【００１９】
これによれば、取出穴の開口が挿入方向と交差しているので、冷却体を取り出し易い。
【００２０】
また、前記した構成において、保持穴の対向する側面の間隔は、保持穴の奥に行くに従い小さくなっている構成とすることができる。
【００２１】
これによれば、保持穴の対向する側面の間隔は、保持穴の奥に行くに従い小さくなっているため、冷却体の寸法バラツキがあっても、がたつかずに保持することができる。
【００２２】
また、前記した構成において、少なくとも、保持穴の側面のうち冷却体に接触する部分がゴムからなる構成とすることができる。
【００２３】
これによれば、冷却体に接触する部分が弾性変形できるので、冷却体の寸法バラツキを吸収できるとともに、ゴムとの摩擦力により、冷却体が滑って落ちることを抑制することができる。
【００２４】
前記した目的を達成するため、本発明の冷却器は、所定形状の冷却体と、冷却体を保持する冷却体ホルダと、を備えている。冷却体ホルダは、把持することが可能な本体部と、本体部に形成された、冷却体を突出させた状態で保持する保持穴と、本体部に形成された、保持穴に通じた取出穴と、を有している。
【００２５】
このように構成された冷却器によれば、冷却体ホルダが保持穴に通じた取出穴を有するので、ユーザが皮膚などを冷却した後に、冷却体を取り出しやすく、取り出した冷却体を冷却体ホルダとは別に冷却することが可能である。
【発明の効果】
【００２６】
本発明の冷却体ホルダおよび冷却器によれば、冷却体ホルダから冷却体を取り出し易く、冷却のための使用時および使用前後の取扱が容易となる。
【図面の簡単な説明】
【００２７】
【図１】本発明の一実施形態に係る冷却器を前側から見た斜視図（ａ）と、後側から見た斜視図（ｂ）である。
【図２】アイスキューブを冷却体ホルダから外した状態の断面図（ａ）と、アイスキューブを冷却体ホルダに挿入した状態の断面図（ｂ）である。
【図３】冷却体ホルダを下から見た図である。
【図４】第１〜第３変形例に係る図２に対応する断面図（ａ）〜（ｃ）である。
【図５】第４変形例に係る冷却器の断面図である。
【図６】第５変形例に係る冷却器を下から見た図である。
【発明を実施するための形態】
【００２８】
次に、本発明の一実施形態について、適宜図面を参照しながら詳細に説明する。
図１（ａ），（ｂ）に示すように、冷却器１は、所定形状の冷却体の一例としてのアイスキューブ２と、アイスキューブ２を保持する冷却体ホルダ３と、を備えている。
冷却体ホルダ３は、把持することが可能な本体部３０からなる。本体部３０の外側の形状は、動物のパンダをモチーフとしており、ヘッド部３０Ａとボディ部３０Ｂとを有している。ヘッド部３０Ａは、パンダの頭の形状、ボディ部３０Ｂは、パンダの胴体の形状をしている。なお、以下の説明において、パンダを基準にした前後、左右、上下を適宜用いて説明する。
【００２９】
本体部３０は、例えば、全体が、シリコンゴムなどのゴムから形成されている。本体部３０の熱伝導率は、アイスキューブ２の表面層の熱伝導率よりも小さい。
【００３０】
図２（ａ）に示すように、アイスキューブ２は、１辺の寸法がＤ１である立方体形状を有している。アイスキューブ２は、ステンレスで形成された、内部に空洞を有する殻状部２１と、殻状部２１の内部に封入された蓄冷材２２とを有してなる。蓄冷材２２は、例えば、水や高吸水性高分子などからなる。殻状部２１は、アイスキューブ２の表面層を構成する。なお、アイスキューブ２の各角部は丸みを帯びている。
【００３１】
本体部３０は、アイスキューブ２を保持する保持穴３１と、保持穴３１と通じた取出穴３２とを有している。
【００３２】
保持穴３１は、本体部３０の下方に開口し、保持穴３１の底に位置する規制面３３と、開口と規制面３３を繋ぐ側面３１Ｓを有している。図３に示すように、側面３１Ｓは、前側の前側面３１Ａと、後側の後側面３１Ｂと、左側の左側面３１Ｃと、右側の右側面３１Ｄとからなる。図２（ａ）、（ｂ）に示すように、アイスキューブ２は、保持穴３１に下から挿入して本体部３０に装着される。
【００３３】
規制面３３は、アイスキューブ２と接触して本体部３０からのアイスキューブ２の突出量を規定する面である。本実施形態において、規制面３３は、保持穴３１にアイスキューブ２を挿入する挿入方向に直交している。規制面３３は、挿入方向において、保持穴３１の開口から所定距離Ｄ２離れている。この所定距離Ｄ２は、アイスキューブ２の一辺の寸法Ｄ１より小さい。このため、アイスキューブ２を保持穴３１に装着してアイスキューブ２が規制面３３に接触すると、保持穴３１が、アイスキューブ２の一部を本体部３０から突出させた状態で保持するようになっている。
【００３４】
また、本実施形態において、所定距離Ｄ２は、アイスキューブ２の寸法Ｄ１の１／２よりも大きくなっている。このため、アイスキューブ２を本体部３０に装着すると、アイスキューブ２の本体部３０からの突出量Ｄ３が、挿入方向におけるアイスキューブ２の寸法Ｄ１の半分以下となるようになっている。突出量Ｄ３は、アイスキューブ２の寸法Ｄ１の１／４以下が望ましく、１／８以下がさらに望ましい。突出量Ｄ３は、例えば、１〜４ｍｍが望ましく、本実施形態においては、突出量Ｄ３が３ｍｍとなっている。
【００３５】
前側面３１Ａと後側面３１Ｂは互いに対向している。左側面３１Ｃと右側面３１Ｄは互いに対向している。前側面３１Ａと後側面３１Ｂは、互いに略平行な平面からなり、前側面３１Ａと後側面３１Ｂの間隔は、寸法Ｄ１より僅かに小さい。左側面３１Ｃと右側面３１Ｄは、互いに略平行な平面からなり、左側面３１Ｃと右側面３１Ｄはの間隔は、寸法Ｄ１より僅かに小さい。このため、アイスキューブ２を保持穴３１に挿入すると、前側面３１Ａと後側面３１Ｂがアイスキューブ２を挟持するとともに、左側面３１Ｃと右側面３１Ｄがアイスキューブ２を挟持するようになっている。
【００３６】
取出穴３２は、アイスキューブ２の保持穴３１への挿入方向に交差する方向、ここでは直交する方向に開口する穴である。取出穴３２の開口は、人が指を挿入できる大きさをしている。つまり、保持穴３１に保持されたアイスキューブ２を取出穴３２から指を入れて押し、保持穴３１から押し出すことが可能に構成されている。
【００３７】
取出穴３２の底面３２Ａは、指の挿入方向すなわち前後方向において、アイスキューブ２の中心よりも取出穴３２の開口から離れて位置する。このため、ユーザは、取出穴３２からアイスキューブ２の上面の広い範囲を押すことができるようになっている。
【００３８】
取出穴３２の内面３２Ｓは、保持穴３１の開口側、つまり、下側に側面３２Ｂを有している。側面３２Ｂは、挿入方向において、規制面３３より保持穴３１の開口の近くに位置している。このため、保持穴３１にアイスキューブ２を装着し、アイスキューブ２が規制面３３に接触すると、保持穴３１に保持されたアイスキューブ２の一部が、取出穴３２の内面３２Ｓから取出穴３２内に突出するようになっている。挿入方向における、側面３２Ｂからのアイスキューブ２の突出量Ｄ４は、１．５ｍｍ以上が望ましく、３ｍｍ以上がさらに望ましい。
【００３９】
以上のような構成の本実施形態の冷却体ホルダ３および冷却器１によれば、以下のような作用効果を得ることができる。
【００４０】
冷却器１を使用するときには、あらかじめアイスキューブ２を冷凍庫で冷やしておく。そして、冷却されたアイスキューブ２を冷却体ホルダ３の保持穴３１に挿入し、保持穴３１の各側面３１Ａ〜３１Ｄにアイスキューブ２を挟持させる。そして、アイスキューブ２を規制面３３に接触させると、アイスキューブ２の一部が本体部３０から突出した状態で保持される。
【００４１】
この状態で、ユーザは、冷却体ホルダ３の本体部３０を把持し、冷却体ホルダ３から突出したアイスキューブ２を皮膚などに接触させることで、アイスキューブ２に触ることなく、皮膚などを局所的に冷却することができる。これにより、注射による痛み、火傷の痛み、各種の痒みなどを緩和する冷凍麻酔のような効果を得ることができる。
【００４２】
冷却器１を使用した後には、取出穴３２から指を入れ、アイスキューブ２を保持穴３１の開口の方へ押すことで、アイスキューブ２を保持穴３１から押し出すことができる。このとき、アイスキューブ２の一部が取出穴３２の内面３２Ｓから取出穴３２内へ突出しているため、アイスキューブ２を指で押し易く、取り出し易い。
【００４３】
また、取出穴３２は、保持穴３１への挿入方向に交差する方向に開口していることで、ユーザは、指の曲げ動作を利用して、アイスキューブ２を押し出すことが可能となり、アイスキューブ２を取り出し易い。
【００４４】
また、ユーザが取出穴３２からアイスキューブ２の上面の広い範囲を押すことができるので、アイスキューブ２を取り出し易い。
【００４５】
また、アイスキューブ２が冷却体ホルダ３から容易に取り出せるので、ユーザは、アイスキューブ２のみを冷やせばよい。つまり、冷却器１ごと冷凍庫へ入れるよりも、アイスキューブ２のみを入れることで、多くのアイスキューブ２を冷凍庫へ入れることができる。
【００４６】
また、冷却体ホルダ３の本体部３０の熱伝導率は、アイスキューブ２の表面層の熱伝導率よりも小さいので、アイスキューブ２の表面層から本体部３０に冷たさが伝わりにくく、本体部３０の外側の表面が冷たくなりにくい。このため、ユーザが把持する部分が冷たくないので、ユーザが不快になることなく使用できる。
【００４７】
また、アイスキューブ２の本体部３０からの突出量Ｄ３は、アイスキューブ２の保持穴３１への挿入方向におけるアイスキューブ２の寸法の半分以下であるため、アイスキューブ２が冷却体ホルダ３から外れにくく、冷却体ホルダ３は、アイスキューブ２を本体部３０に安定して保持することができる。そして、アイスキューブ２が必要以上に露出されないことで、ユーザが意図しない部分を冷却することを抑制できる。
【００４８】
また、冷却体ホルダ３がゴムから形成されているため、アイスキューブ２に接触する部分が弾性変形できるので、アイスキューブ２の寸法バラツキを吸収できるとともに、ゴムとの摩擦力により、アイスキューブ２が冷却体ホルダ３から滑って落ちることを抑制することができる。特に、シリコンゴムを使用した場合には、使用後、汚れが落ちやすいので清潔に保つことができ、例えば、医療現場などでも安心して使用できる。
【００４９】
以上、本発明の実施形態について説明したが、本発明は前記実施形態に限定されるものではない。具体的な構成については、本発明の趣旨を逸脱しない範囲で適宜変更が可能である。なお、以下の変形例の説明において、前記実施形態と同様の構成要素については、同一符号を付して、その説明を省略することとする。
【００５０】
［第１変形例］
前記実施形態では、冷却体を挟持する保持穴の側面が互いに平行に配置されていたが、本発明はこれに限定されず、対向する面が互いに平行でなくともよい。
【００５１】
例えば、図４（ａ）示すように、第１変形例の冷却体ホルダ１００の保持穴１１０は、対向する側面１１０Ａ，１１０Ｂの間隔が保持穴１１０の奥に行くに従い小さくなっている。いわば、保持穴１１０の側面１１０Ａ，１１０Ｂは、テーパー形状となっている。側面１１０Ａ，１１０Ｂは、冷却体の突出量を規制する規制面としても機能している。
この第１変形例において、アイスキューブ２は、保持穴１１０の底（前記実施形態における規制面３３）に接触してもよいし、接触しなくてもよい。
【００５２】
［第２変形例］
前記実施形態では、冷却体の突出量を規定する規制面が平面であったが、本発明はこれに限定されず、規制面が平面でなくともよい。例えば、図４（ｂ）に示すように、保持穴２０１の底２２０に突起２１０を設け、突起２１０の先端面を規制面とすることもできる。
【００５３】
［第３変形例］
前記実施形態では、取出穴が冷却体の保持穴への挿入方向に交差する方向に開口していたが、本発明はこれに限定されず、取出穴が冷却体の保持穴への挿入方向に開口していてもよい。
例えば、図４（ｃ）に示すように、第３変形例の冷却体ホルダ３００の取出穴３２０は、保持穴３１０の底３１５から、挿入方向に沿って保持穴３１０の開口と反対側へ貫通している。
この冷却体ホルダ３００によっても、ユーザは、取出穴３２０から冷却体を指で押すことで押し出すことが可能となっている。
【００５４】
［第４変形例］
前記実施形態では、冷却体ホルダの全体がゴムで形成されていたが、本発明はこれに限定されず、例えば、図５（ａ）に示すように、少なくとも、保持穴４１０の側面のうち冷却体に接触する部分４２０がゴムからなる構成であってもよい。冷却体ホルダ４００の冷却体に接触する部分以外の部分４３０は、ゴム以外の材料で構成されており、冷却体と接触する部分４２０のみがゴムで構成されていてもよい。
【００５５】
［第５変形例］
前記実施形態では、冷却体を挟持する保持穴の側面が平面であったが、本発明はこれに限定されず、保持穴の側面が平面でなくてもよい。例えば、図６に示すように、保持穴５１０の側面に突起５１１を設けてもよい。この場合には、突起５１１が弾性変形することで、冷却体の寸法誤差が大きい場合にも冷却体を挟持し易い。
【００５６】
前記実施形態では、保持穴の側面が冷却体を前後方向および左右方向から挟持して保持していたが、本発明はこれに限定されず、前後方向および左右方向のどちらか一方で保持する構成としてもよい。
【００５７】
前記実施形態では、冷却体ホルダの本体部がパンダをモチーフとした形状をしていたが、本発明はこれに限定されず、他の動物やキャラクターをモチーフとした形でもよく、単なる円柱形状や直方体形状であってもよい。
【００５８】
前記実施形態では、冷却体が立方体形状を有していたが、本発明はこれに限定されるものではなく、例えば、冷却体の形状は、直方体、球体、多面体、円柱などであってもよい。
【００５９】
前記実施形態では、冷却体の表面層がステンレスであったが、本発明はこれに限定されるものではなく、例えば、銅、アルミニウムなどの各種金属材料や熱伝導率の高い非金属材料であってよい。また、冷却体は、内部に蓄冷材が封入されていなくともよく、冷却体が内部に空洞を有しない中実なものであってもよい。
【００６０】
冷却体ホルダがゴムから形成されていたが、本発明はこれに限定されるものではなく、例えばポリカーボネートなどの各種樹脂材料などでもよい。
【００６１】
また、前記した各実施形態及び各変形例の各要素は、任意に組み合わせて実施することが可能である。
【符号の説明】
【００６２】
１      冷却器
２      アイスキューブ
３      冷却体ホルダ
３０    本体部
３１    保持穴
３２    取出穴
【図１】
2019051197.tif 000003
【図２】
2019051197.tif 000004
【図３】
2019051197.tif 000005
【図４】
2019051197.tif 000006
【図５】
2019051197.tif 000007
【図６】
2019051197.tif 000008